(57)【要約】【課題】冷凍室の上下方向に複数のケースを配した冷蔵庫において、冷凍室ドア閉め時に内箱の割れ変形の恐れが無くし、冷却器カバー表面への着霜の恐れも無い冷蔵庫を提供することを目的とする。【解決手段】冷凍室内には上下２段で構成されたケースを有し、上段ケース６は左右の内箱から一体に成形された受け部で前後に動作可能に支持され、前記冷却器カバー５に上段ケース６の当たり止め部２４を設けたものであり、冷凍室ドア閉め時、上段ケース６は冷却器カバー５の当たり止め部２４に当たり止るため、内箱の割れや変形が生じない。また別途、レールを設ける必要も無い。また、冷却器カバー５の左右両端に上段ケース６の凸状の当たり止め部２４を設けたことにより、庫内着霜を防止することができる。【選択図】図１
2005106326.tif 000002
【特許請求の範囲】
【請求項１】
引き出しドアを有する冷凍室と、前記冷凍室背面に配置し圧縮機により冷媒を循環させ、庫内を冷却するための冷気を生成する冷却器と、前記冷却器前面に配置する冷却器カバーとを有する冷蔵庫において、前記冷凍室内には上下２段で構成されたケースを有し、上段ケースは左右の内箱から一体に成形された受け部で前後に動作可能に支持され、前記冷却器カバーに上段ケースの当たり止め部を設けることを特徴とする冷蔵庫。
【請求項２】
上段ケースの当たり止め部は、冷却器カバーに凸形状を部分的に設けたことを特徴とする請求項１に記載の冷蔵庫。
【請求項３】
冷却器カバーに設けた上段ケースの凸状の当たり止め部の裏面に前記冷却器の手前に位置する風路構成用の断熱材を配置したことを特徴とする請求項１または２に記載の冷蔵庫。
【請求項４】
冷却器カバーの左右両端に上段ケースの凸状の当たり止め部を設けたことを特徴とする請求項２または３に記載の冷蔵庫。
【請求項５】
上段ケースの凸状の当たり止め部の形状を冷凍室庫内正面から見て、ハの字又は逆ハの字に配置したことを特徴とする請求項２から請求項４のいずれか一項に記載の冷蔵庫。
【発明の詳細な説明】
【技術分野】
【０００１】
本発明は、冷蔵庫本体の室内に上下方向に複数の収納用容器が配された冷蔵庫に関するものである。
【背景技術】
【０００２】
従来、この種の冷蔵庫は収納物を多層に積み重ねることを排除し、該当収納物を容易に取出すことができるように冷凍室の上下方向に複数のケースを配し、前記ケースを引き出すためのドアを設けたものがある。（例えば、特許文献１参照）。
【０００３】
図３は、特許文献１に記載された従来の冷蔵庫の要部断面図である。
【０００４】
図において、冷蔵庫本体1の冷凍室２背面に配置した圧縮機３により冷媒を循環させ、庫内を冷却するための冷気を生成する冷却器４と、冷却器４前面に冷却器カバー５を有し、上段ケース６が下段ケース７に前後に動作可能に載置され、上段ケース６には両側面フランジ８と前部両端フランジ９と両側面延長フランジ１０を有する。両側面フランジ８は、下段ケース７に設けた両側面段落ち面１１に載置される。前記段落ち面１１には上段ケース６を引掛け用リブ１２と当たり面１３を有する下段 ケース７は、冷凍室ドア１４に取付けられた支持腕１５に載置されており、支持腕１５は後部転輪１６を有している。冷蔵庫本体１には、冷凍室２側面に凹状に内箱１７に取付ける冷凍室ドア１４用樹脂レール１８と、前記樹脂レール１８の手前に位置する冷蔵庫本体１に設けられた転輪３２と、前記上段ケース６の両側面延長フランジ１０を載置し、上段ケース６を前後に動作可能に設けた内箱レール１９から構成されている。
【特許文献１】特開平８−２７１１３５号公報
【発明の開示】
【発明が解決しようとする課題】
【０００５】
しかしながら、上記従来の構成では、冷凍室ドア１４閉め時に上段ケース６の両側面延長フランジ１１が内箱１７の内箱レール１９の奥面２０に当たり、上段ケース６は止まるので、内箱１７の肉厚が十分厚くないと割れ変形が発生する恐れがある。また割れる場合は設計段階で仕様変更を行い別部材のレールを内箱に設けコストアップになる。また仮に、内箱１７が変形した場合、上段ケース６の背面２１が冷却器カバー５に当接し冷気の背面の対流を阻害し、冷却器カバー5表面への着霜２２の恐れもあるという課題を有していた。
本発明は、上記従来の課題を解決するもので、冷蔵庫本体に設けられた冷凍室内に上下に配されたケースにおいて、冷凍室ドア閉め時に内箱の割れ変形の恐れが無くし、冷却器カバー表面への着霜の恐れも無い冷蔵庫を提供することを目的とする。
【課題を解決するための手段】
【０００６】
上記従来の課題を解決するために、本発明の冷蔵庫は、冷凍室内には上下２段で構成されたケースを有し、上段ケースは左右の内箱から一体に成形された受け部で前後に動作可能に支持され、前記冷却器カバーに上段ケースの当たり止め部を設けたものである。
【０００７】
これによって、冷凍室ドア閉め時、上段ケースは冷却器カバーの当たり止め部に当たり止るため、内箱の割れや変形が生じない。また別途、レールを設ける必要も無い。
【発明の効果】
【０００８】
本発明の冷蔵庫は、冷却器カバーに当たり止め部を設けることで、冷凍室ドア閉め時に内箱の割れや変形が生じず、低コストで信頼精の高い冷蔵庫を提供することができる。
【発明を実施するための最良の形態】
【０００９】
請求項１に記載の発明は、引き出しドアを有する冷凍室と、前記冷凍室背面に配置し圧縮機により冷媒を循環させ、庫内を冷却するための冷気を生成する冷却器と、前記冷却器前面に配置する冷却器カバーとを有する冷蔵庫において、前記冷凍室内には上下２段で構成されたケースを有し、上段ケースは左右の内箱から一体に成形された受け部で前後に動作可能に支持され、前記冷却器カバーに上段ケースの当たり止め部を設けたものであり、冷凍室内の上段ケースは冷却器カバーの当たり止め部に当たり止るため、上段ケースの両側面延長フランジは内箱に当たらず、内箱の割れ、変形が生じない。また別途、レール等を設ける必要も無くコストダウンすることができる。
【００１０】
請求項２に記載の発明は、請求項１に記載の発明において、上段ケースの当たり止め部は、冷却器カバーに凸形状を部分的に設けたものであり、上段ケースの背面と冷却器カバーとの間は部分的に設けた凸状の当たり止めにより空間がそれ以上狭くならない。よって冷却器カバーの表面の冷気の対流が阻害されにくく、着霜も防止することができる。
【００１１】
請求項３に記載の発明は、請求項１または２に記載の発明において、冷却器カバーに設けた上段ケースの凸状の当たり止め部の裏面に前記冷却器の手前に位置する風路構成用の断熱材を配置したものであり、上段ケースに食品を入れ勢いよく閉めたとき、当たり止め部は断熱材により支持され、衝撃力が分散されるので大きく変形しない。これにより、当たり止め部の割れを防止できる。
【００１２】
請求項４に記載の発明は、請求項２または３に記載の発明において、冷却器カバーの左右両端に上段ケースの凸状の当たり止め部を設けたものであり、冷却器カバーが成型時に反った場合でも、両端部に凸状の当たり部を設けることで、前後方向の成形時の変形量が少ないので、上段ケースと下段ケースの前後方向の隙（遊び代）が少なくても冷凍室のドアの隙が発生せず、庫内着霜を防止することができる。
【００１３】
請求項５に記載の発明は、請求項２から請求項４のいずれか一項に記載の発明において、上段ケースの凸状の当たり止め部の形状を冷凍室庫内正面から見て、ハの字又は逆ハの字に配置したものであり、上段ケースとの当接バラツキを吸収できるとともに、冷却器カバー表面の凸状の当たり部近傍の上下方向の冷気対流を阻害することなく、冷却性能を維持でき、さらによどみを減らすことで着霜を防止することができる。
【００１４】
以下、本発明の実施の形態について、図面を参照しながら説明する。なお、この実施の形態によってこの発明が限定されるものではない。
【００１５】
（実施の形態１）
図１は本発明の実施の形態１における冷蔵庫の要部断面図を示すものである。
【００１６】
図１において、冷蔵庫本体1の冷凍室２背面に配置した圧縮機３により冷媒を循環させ、庫内を冷却するための冷気を生成する冷却器４と、冷却器４前面に冷却器カバー５を有し、上段ケース６が下段ケース７に前後に動作可能に載置され、上段ケース６には両側面フランジ８と前部両端フランジ９と両側面延長フランジ１０を有する。両側面フランジ８は、下段ケース７に設けた両側面段落ち面１１に載置される。前記段落ち面１１には上段ケース６を引掛け用リブ１２と当たり面１３を有する下段 ケース７は、冷凍室ドア１４に取付けられた支持腕１５に載置されており、支持腕１５は後部転輪１６を有している。冷蔵庫本体１には、冷凍室２側面に凹状に内箱１７に取付ける冷凍室ドア１４用樹脂レール１８と、前記樹脂レール１８の手前に位置する冷蔵庫本体１に設けられた転輪３２と、前記上段ケース６の両側面延長フランジ１０を載置し、上段ケース６を前後に動作可能に設けた内箱レール１９から構成されている。
【００１７】
また、冷却器カバー５の左右両端に、上段ケース６の当たり止め部２４を設け、前記当たり止め部２４の前後高さは、５ｍｍから１５ｍｍの箱型で凸状とし、前記当たり止め部２４の裏面に前記冷却器４の手前に位置する風路構成用の断熱材としての発泡スチロール２５を一体で凸状２６内に配置し、前記冷却器カバー５に設けた箱型で凸状の当たり止め部２４に嵌合するように当接されている。
【００１８】
また、当たり止め部２４の形状は、冷凍室庫内正面から見て、ハの字又は逆ハの字状に配置している。
【００１９】
以上のように構成された冷蔵庫について、以下、その動作、作用を説明する。
【００２０】
まず、下段ケース７は冷凍室ドア１４の支持腕１５に載置させ固定され冷凍室ドア１４の開閉に合わせ前後に移動し、中の食品の出し入れを可能にしている。冷凍室ドア１４は、支持腕１５が前部を転輪３２により前後移動自在に支えられ、後部は後部転輪１６が樹脂レール１８内を前後移動自在に支持しされているため、スムーズに開閉することができる。上段ケース６は両側面フランジ８を下段ケース７に設けた両側面段落ち面１１上に載置されている。冷凍室ドア１４の開時、上段ケース６は下段ケース７の引掛け用リブ１２に前部両端フランジ９で引っかかりながら手前に移動し、食品を上段ケース６から取り出すことができる。
【００２１】
冷凍室ドア１４を引き出した状態で下段の食品を取り出そうとした場合、上段ケース６を奥に移動させるが、そのときの上段ケース６の後部をその両側面延長フランジ１０は内箱レール１９にて前後に移動自在に支持されている。そのまま上段ケース６を奥に移動させた場合、背面２１が冷却器カバー５の当たり止め部２４に当たり止る。次に冷凍室ドア１４を閉めた場合、上段ケース６は下段ケース７の当たり面１３に前部両端フランジ９を押されながら、上段ケース６は奥に移動する。そして冷凍室ドア１４を閉める慣性力で上段ケース６はそのまま奥に移動し背面を冷却器カバー５の当たり止め部２４に当てて止まる。
【００２２】
以上のように本実施の形態においては、引き出しドア式冷凍室２で、冷却器カバー５に上段ケース６のドア閉め時の当たり止め部２４を設けたことにより、冷凍室ドア閉め時に、上段ケース６は冷却器カバー５の当たり止め部２４に当たり止るため、内箱１７に上段ケース６の両側面延長フランジ１０は内箱１７に当てる必要は無いため内箱は割れ変形が生じない。また別途レールを設ける必要も無くコストダウンすることができる。
【００２３】
また、本実施の形態では、上段ケース６のドア閉め時の当たり止め部２４を冷却器カバー５に箱型で凸状に部分的に設けたことにより、上段ケースの背面と冷却器カバー５との間は部分的に設けた箱型で凸状の当たり止め部２４により空間がそれ以上狭くならないので冷却器カバー５の表面の冷気の対流を阻害されにくいので着霜２２も防止することができる。
【００２４】
また、本実施の形態では、冷却器カバー５に設けた上段ケース６のドア閉め時の箱型凸状の当たり止め部２４の裏面に前記冷却器４の手前に位置する風路構成用の発泡スチロール２５を一体で凸状２６にし前記冷却器カバーに設けた箱型で凸状の当たり止め部２４に嵌合するように当接させたことにより、上段ケース６に食品を入れ勢いよく閉めたとき、当たり止め部２４は発泡スチロール２５により支持され力が分散されるので大きく変形しない。これにより、当たり止め部２４の割れを防止できる。
【００２５】
また、本実施の形態では、冷却器カバー５の左右両端に、上段ケース６の箱型凸状の当たり止め部２４を設けたことにより、通常は冷却器カバー５に設けた箱型凸状の当たり部２４の前後方向の変位量２７より上段ケース前部両端フランジ９と下段ケースの当たり面１３との前後方向の隙（遊び代）２８が小さいと冷凍室ドア１４が閉まり切らずガスケット２９に隙３０が発生し、暖気が冷凍室２内に進入し庫内の上段ケース６下段ケース７に着霜するが、冷却器カバー５が成型時に反った場合、想像線３１でも、両端部に箱型凸状の当たり部２４を設けているので、前後方向の変位２７が少なくなり、上段ケース６と下段ケース７の前後方向の隙（遊び代）２７が少なくても冷凍室ドア１４に隙が発生せず、庫内着霜を防止することができる。
【００２６】
また、本実施の形態では、冷却器カバー５に、ハの字又は逆ハの字など斜めに、上段ケースドア閉め時の箱型凸状の当たり止め部２４を設けたことにより、上段ケースとの当接バラツキを吸収できるとともに、冷却器カバー表面の凸状の当たり部近傍の上下方向の冷気対流を阻害することなく、冷却性能を維持でき、さらによどみを減らすことで着霜を防止することができる。
【産業上の利用可能性】
【００２７】
以上のように、本発明にかかる冷蔵庫は、冷却器カバーに当たり止め部を設けることで、冷凍室ドア閉め時に内箱の割れや変形が生じないものであり、引出しケースを有する貯蔵庫、収納庫等の用途にも適用できる。
【図面の簡単な説明】
【００２８】
【図１】本発明の実施の形態１における要部断面図
【図２】本発明の実施の形態１における正面図
【図３】従来の冷蔵庫の要部断面図
【符号の説明】
【００２９】
２    冷凍室
３    圧縮機
４    冷却器
５    冷却器カバー
６    上段ケース
７    下段ケース
１４    冷凍室ドア
２４    当たり止め部
２５    発泡スチロール
【図１】
2005106326.tif 000003
【図２】
2005106326.tif 000004
【図３】
2005106326.tif 000005